(57)【要約】【課題】複数枚の原稿を自動的に送ることが可能な画像処理装置において、複数枚の原稿の連続読み取りを行うときに、読み取り速度を低下させることなく、原稿の裏／表の設置面の間違いを防止する。【解決手段】「片面原稿」が指定された場合、複数原稿の１枚目が白紙であると白紙検知部２０２で検知された場合は、操作部１０６に原稿表面が白紙であることを表示する。この表示画面において、読み取り動作の３つの継続方法から選択することができる。「読み取り中止」が選択された場合は、その後の読み取り動作を中止する。「表面読み取りのまま継続」が選択された場合は、表面を読み取った画像データを有効画像データとして使用し、読み取り動作を継続する。「裏面読み取りに切り替えて継続」が選択された場合は、裏面を読み取った画像データを有効画像データとして使用し、読み取り動作を継続する。【選択図】図２
2007251431.tif 000002
【特許請求の範囲】
【請求項１】
複数の原稿を１枚ずつ自動的に送る原稿自動送り手段と、
前記原稿自動送り手段で送られた原稿を読み取る原稿読み取り手段と、
前記原稿読み取り手段が読み取った画像データを処理する画像処理手段と、
原稿読み取りの動作モードを指定する操作手段と、
前記読み取った画像データから原稿が白紙であることを検知する白紙検知手段と、
複数の原稿の連続読み取りを行うときに１枚目の原稿読み取りの白紙検知結果に応じて以降の読み取り動作を変更する変更手段とを設けことを特徴とする画像処理装置。
【請求項２】
前記操作手段により原稿の片面読み取り動作モードが設定され、複数の原稿の連続読み取り動作を行うときに、原稿の１枚目の表面読み取りで前記白紙検知手段により白紙が検知された場合、検知結果を操作者に通知する通知手段を設けたことを特徴とする請求項１に記載の画像処理装置。
【請求項３】
前記原稿の１枚目の表面読み取りで前記白紙検知手段により白紙が検知された場合、前記変更手段の動作指示に応じて原稿の１枚目の裏面読み取り動作を行うことを特徴とする請求項２に記載の画像処理装置。
【請求項４】
前記原稿の１枚目の裏面読み取りで前記白紙検知手段により白紙が検知されなかった場合、前記変更手段の動作指示に応じて２枚目以降の原稿に対して裏面のみの読み取り動作を行うことを特徴とする請求項３に記載の画像処理装置。
【請求項５】
前記原稿の１枚目の裏面読み取りで前記白紙検知手段により白紙が検知された場合、検知結果を操作者に通知する通知手段を設けたことを特徴とする請求項３に記載の画像処理装置。
【請求項６】
原稿を読み取った画像データを処理する画像処理方法において、
複数の原稿の連続読み取りを行うときに１枚目の原稿が白紙であることが検知されたとき、以降の読み取り動作を変更することを特徴とする画像処理方法。
【請求項７】
前記原稿の片面読み取り動作モードが設定され、複数の原稿の連続読み取り動作を行うときに原稿の１枚目で白紙が検知された場合、検知結果を操作者に通知することを特徴とする請求項６に記載の画像処理方法。
【請求項８】
前記原稿の片面読み取り動作モードが設定され、複数の原稿の連続読み取り動作を行うときに１枚目の原稿が白紙であることが検知された場合、原稿の１枚目の裏面読み取り動作を行うことを特徴とする請求項７に記載の画像処理方法。
【請求項９】
前記原稿の１枚目の裏面読み取りで白紙が検知されなかった場合、２枚目以降の原稿に対して裏面のみの読み取り動作を行うことを特徴とする請求項８に記載の画像処理方法。
【請求項１０】
前記原稿の１枚目の裏面読み取りで白紙が検知された場合、検知結果を操作者に通知することを特徴とする請求項８に記載の画像処理方法。
【請求項１１】
複数の原稿を１枚ずつ自動的に送る原稿自動送り処理と、
前記自動送りされた原稿を読み取る原稿読み取り処理と、
前記読み取った画像データを処理する画像処理と、
原稿読み取りの動作モードを指定する操作処理と、
前記読み取った画像データから原稿が白紙であることを検知する白紙検知処理と、
複数の原稿の連続読み取りを行うときに１枚目の原稿読み取りの白紙検知結果に応じて以降の読み取り動作を変更する変更処理とをコンピュータに実行させるプログラム。
【請求項１２】
前記操作処理により原稿の片面読み取り動作モードが設定され、複数の原稿の連続読み取り動作を行うときに、原稿の１枚目の表面読み取りで前記白紙検知処理により白紙が検知された場合、検知結果を操作者に通知する通知処理をコンピュータに実行させる請求項１１に記載のプログラム。
【請求項１３】
前記原稿の１枚目の表面読み取りで前記白紙検知処理により白紙が検知された場合、動作指示に応じて原稿の１枚目の裏面読み取り動作を行う変更処理をコンピュータに実行させる請求項１２に記載のプログラム。
【請求項１４】
前記原稿の１枚目の裏面読み取りで前記白紙検知処理により白紙が検知されなかった場合、２枚目以降の原稿に対して裏面のみの読み取り動作を行う変更処理をコンピュータに実行させる請求項１３に記載のプログラム。
【請求項１５】
前記原稿の１枚目の裏面読み取りで前記白紙検知処理により白紙が検知された場合、検知結果を操作者に通知する通知処理をコンピュータに実行させる請求項１３に記載のプログラム。
【請求項１６】
請求項１１から１５のいずれか１項に記載のプログラムを記録したコンピュータ読み取り可能な記録媒体。
【発明の詳細な説明】
【技術分野】
【０００１】
本発明は、ディジタル複写機、スキャナ装置、プリンタ装置、ファクシミリ装置、またはこれらの機能を兼ね備えたディジタル複合機等における画像処理装置、方法及びこれらの装置方法で用いられるプログラム、コンピュータ読み取り可能な記録媒体に関する。
【背景技術】
【０００２】
画像処理機能を用いて、原稿の正しい面が読み取られているか否かを判定する方法として「白紙検知」と呼ばれる方法が一般的である（例えば、特許文献１，２参照）。片面原稿の場合、文字情報や画像情報が印刷されている面は１つと限られており、また一般的な文書は白い用紙に印刷するので、印刷面の裏側は全面白紙である可能性が高い。従来の白紙検知技術はこのような特徴を利用し、原稿を読み取る際に、読み取った原稿画像に含まれる白領域の割合を算出し、ある一定率以上であった場合には、原稿の裏面を読み取っていると判定する方法である。
【特許文献１】特開２０００−１５６７６２号公報
【特許文献２】特開２０００−２８７０２４号公報
【発明の開示】
【発明が解決しようとする課題】
【０００３】
複写機やＦＡＸ、またスキャナなど、光学的ラインセンサを用いて画像を読み取る装置には、読取ガラスの上に原稿を置き、光源とラインセンサを一定速度で移動させながら画像を読み取るフラットヘッド方式と、光源とラインセンサを固定させて、一定速度で原稿を移動させながら画像を読み取るシートフィード方式とがある。フラットヘッド方式の場合は、光源とラインセンサがプラテンガラスの下を移動する様子が目視できるため、原稿を設置する際には、読み取りたい面をプラテンガラスに接する向きに置けば良いと容易に判断できる。一方、シートフィード方式の場合は、原稿台に設置された原稿が、どの様に搬送されて光源とラインセンサの前へ到達するのか装置によって異なるため、原稿を設置する際の正しい向きを判断することが難しい。その結果、表裏を間違えて設置してしまい、読み取りたい面の裏側が読み取られてしまうといった操作ミスが起こり易い。
本発明は、複数の原稿を自動的に送ることが可能な原稿読み取り装置を備えた画像処理装置において、複数の原稿の連続読み取りを行うときに、読み取り速度を低下させることなく、原稿の裏／表の設置面の間違いを防止することを目的とする。
【課題を解決するための手段】
【０００４】
請求項１記載の発明は、複数の原稿を１枚ずつ自動的に送る原稿自動送り手段と、原稿自動送り手段で送られた原稿を読み取る原稿読み取り手段と、原稿読み取り手段が読み取った画像データを処理する画像処理手段と、原稿読み取りの動作モードを指定する操作手段と、読み取った画像データから原稿が白紙であることを検知する白紙検知手段と、複数の原稿の連続読み取りを行うときに１枚目の原稿読み取りの白紙検知結果に応じて以降の読み取り動作を変更する変更手段とを設けことを特徴とする。
【０００５】
請求項２記載の発明は、請求項１記載の発明において、操作手段により原稿の片面読み取り動作モードが設定され、複数の原稿の連続読み取り動作を行うときに、原稿の１枚目の表面読み取りで前記白紙検知手段により白紙が検知された場合、検知結果を操作者に通知する通知手段を設けたことを特徴とする。
【０００６】
請求項３記載の発明は、請求項２記載の発明において、原稿の１枚目の表面読み取りで前記白紙検知手段により白紙が検知された場合、変更手段の動作指示に応じて原稿の１枚目の裏面読み取り動作を行うことを特徴とする。
【０００７】
請求項４記載の発明は、請求項３記載の発明において、原稿の１枚目の裏面読み取りで白紙検知手段により白紙が検知されなかった場合、変更手段の動作指示に応じて２枚目以降の原稿に対して裏面のみの読み取り動作を行うことを特徴とする。
【０００８】
請求項５記載の発明は、請求項３記載の発明において、原稿の１枚目の裏面読み取りで白紙検知手段により白紙が検知された場合、検知結果を操作者に通知する通知手段を設けたことを特徴とする。
【０００９】
請求項６記載の発明は、原稿を読み取った画像データを処理する画像処理方法において、複数の原稿の連続読み取りを行うときに１枚目の原稿が白紙であることが検知されたとき、以降の読み取り動作を変更することを特徴とする。
【００１０】
請求項７記載の発明は、請求項６記載の発明において、原稿の片面読み取り動作モードが設定され、複数の原稿の連続読み取り動作を行うときに原稿の１枚目で白紙が検知された場合、検知結果を操作者に通知することを特徴とする。
【００１１】
請求項８記載の発明は、請求項７記載の発明において、原稿の片面読み取り動作モードが設定され、複数の原稿の連続読み取り動作を行うときに１枚目の原稿が白紙であることが検知された場合、原稿の１枚目の裏面読み取り動作を行うことを特徴とする。
【００１２】
請求項９記載の発明は、請求項８記載の発明において、原稿の１枚目の裏面読み取りで白紙が検知されなかった場合、２枚目以降の原稿に対して裏面のみの読み取り動作を行うことを特徴とする。
【００１３】
請求項１０記載の発明は、請求項８記載の発明において、原稿の１枚目の裏面読み取りで白紙が検知された場合、検知結果を操作者に通知することを特徴とする。
【００１４】
請求項１１記載の発明は、複数の原稿を１枚ずつ自動的に送る原稿自動送り処理と、自動送りされた原稿を読み取る原稿読み取り処理と、読み取った画像データを処理する画像処理と、原稿読み取りの動作モードを指定する操作処理と、読み取った画像データから原稿が白紙であることを検知する白紙検知処理と、複数の原稿の連続読み取りを行うときに１枚目の原稿読み取りの白紙検知結果に応じて以降の読み取り動作を変更する変更処理とをコンピュータに実行させることを特徴とする。
【００１５】
請求項１２記載の発明は、請求項１１記載の発明において、操作処理により原稿の片面読み取り動作モードが設定され、複数の原稿の連続読み取り動作を行うときに、原稿の１枚目の表面読み取りで白紙検知処理により白紙が検知された場合、検知結果を操作者に通知する通知処理をコンピュータに実行させることを特徴とする。
【００１６】
請求項１３記載の発明は、請求項１２記載の発明において、原稿の１枚目の表面読み取りで白紙検知処理により白紙が検知された場合、動作指示に応じて原稿の１枚目の裏面読み取り動作を行う変更処理をコンピュータに実行させることを特徴とする。
【００１７】
請求項１４記載の発明は、請求項１３記載の発明において、原稿の１枚目の裏面読み取りで白紙検知処理により白紙が検知されなかった場合、２枚目以降の原稿に対して裏面のみの読み取り動作を行う変更処理をコンピュータに実行させることを特徴とする。
【００１８】
請求項１５記載の発明は、請求項１３記載の発明において、原稿の１枚目の裏面読み取りで白紙検知処理により白紙が検知された場合、検知結果を操作者に通知する通知処理をコンピュータに実行させることを特徴とする。
【００１９】
請求項１６記載の発明は、請求項１１から１５のいずれか１項に記載のプログラムを記録したコンピュータ読み取り可能な記録媒体であることを特徴とする。
【発明の効果】
【００２０】
請求項１，６，１１の発明によれば、複数枚の原稿の連続読み取り動作において、原稿読み取りごとに白紙検知を行うと読み取りに時間がかかるという問題があった。本発明では、複数の原稿の連続読み取りを行うときに、１枚目の原稿の白紙検知結果により原稿セットの設置面の間違いを防止するため、読み取り速度を低下させることなく、原稿の裏／表の設置面の間違いを防止することが可能である。
【００２１】
請求項２，７，１２の発明によれば、複数枚の原稿の連続読み取りを行うときに、１枚目の原稿の表面に有効な画像があるかどうかを調べて、有効な画像がなかった場合は読み取り動作を中断し、原稿の裏／表の設置面の間違いを防止することが可能である。
【００２２】
請求項３，８，１３の発明によれば、複数枚の原稿の連続読み取りを行うときに、原稿セットの裏／表の設置面の間違いで、原稿の表面に有効な画像がなかった場合、原稿の裏面に有効な画像があるかどうかを調べて、裏面の有効な読み取り画像データを使用するため、原稿の再セットを行うことなく動作を継続することが可能である。
【００２３】
請求項４，９，１４の発明によれば、複数枚の原稿の連続読み取りを行うときに、原稿の裏／表の設置面が間違われて設置されていた場合、１枚目のみ原稿の両面を読み取り、２枚目以降の原稿に対しては有効面のみを読み取りを行うため、高速な読み取りが可能である。
【００２４】
請求項５，１０，１５の発明によれば、複数枚の原稿の連続読み取りを行うときに、１枚目の原稿の表面・裏面ともに有効な画像がなかった場合は読み取り動作を中断し、原稿の設置の間違いを防止することが可能である。
【発明を実施するための最良の形態】
【００２５】
以下、本発明の実施形態を図面と共に説明する。
図１は本発明の実施形態による画像処理装置全体の構成を示すブロック図である。
図１において、画像入力部１０１は、ディジタルコピー、ディジタルファクシミリのスキャナに相当し、原稿を読み取り、読み取られた画像データを画像処理部１０２に送る。画像処理部１０２は、読み取られた画像データに対して白紙検知、ＭＴＦフィルタ処理、γ補正処理、階調処理などの各種画像処理を行い画像出力部１０３に送る。画像出力部１０３は、ディジタル複写機のプリンタに相当し、画像処理後の画像データを紙にプリント出力する。画像蓄積部１０４は、原稿を読み取った画像データを保存し、画像処理時や印刷時に保存されている画像データを読み出す。
【００２６】
制御部１０５は、装置全体の制御を行う。画像入力部１０１に対しては、スキャナの動作制御を行い、画像処理部１０２に対しては、白紙検知、ＭＴＦフィルタ処理、γ変換処理、階調処理などの各種画像処理に用いるパラメータの設定を行い、画像出力部１０３に対しては、プリンタの動作制御を行い、画像蓄積部１０４に対しては、画像蓄積、読み出し、消去などの制御を行い、操作部１０６に対しては各種情報の表示制御や動作モードの入力制御を行う。操作部１０６は、使用者が設定する動作モードの選択やコピースタートの指示の入力や使用者に対する通知の表示に用いられる。また、本装置には、複数枚の原稿を１枚ずつスキャナ部２０１に自動的に送る原稿自動送り装置（図示せず）を備えている。
【００２７】
図２に画像処理装置の詳細なブロック図を示す。
図２において、前記画像入力部１０１として、原稿画像の両面を同時に読み取るスキャナ部２０１が用いられている。前記画像処理部１０２は、白紙検知部２０２、ＭＴＦフィルタ処理部２０４、γ変換処理部２０５、階調処理部２０６から構成されている。前記画像出力部１０３として、画像をコピーして出力するプリンタ部２０７が用いられている。制御部１０６は、装置全体の制御を実行するＣＰＵ２０９、制御プログラムが格納されているＲＯＭ２１０、制御プログラムが一時的に使用するＲＡＭ２１１から構成される。また、前記画像蓄積２０３、操作部１０６が設けられると共に、各装置間のデータのやりとりを行う内部システムバス２０８設けられている。
【００２８】
次に、請求項１から５の発明に共通な第１の実施形態の具体的な動作を説明する。
初めに原稿読み取りを行う準備として画像処理部１０２内の各処理部に制御部１０５からシステムバスを通じて各種パラメータの設定が行われる。具体的なパラメータとしては、白紙検知部２０２には白紙検知レベル、ＭＴＦフィルタ処理部２０４にはフィルタ係数、γ変換処理部２０５にはγ特性データ、階調処理部２０６には多値化しきい値などが設定される。
【００２９】
原稿自動送り装置で送られてきた原稿をスキャナ部２０１で読み取り動作を行い、読み取られた画像データは、図３の太線で示すように画像処理部１０２に送られる。画像処理部１０２では、白紙検知部２０２により画像データに基づいて白紙か非白紙か検知される。その後、画像データは画像蓄積部２０３に送られて蓄積される。白紙検知部２０２の内部の構成は従来から知られた技術を用いる。例えば特許文献１に記載されているような画素データを所定の濃度値と比較してページ内の画素データの全てが所定の濃度値以下のときに上記ページを白紙と判定する方法や、所定の濃度値を超える画素データの数をカウントして１ページ内のカウント数が所定値以下のときに白紙と判定する方法などがある。
【００３０】
次に、制御部１０５が白紙検知部２０２の白紙検知結果の読み出しを行う（図４参照）。制御部１０５内のＲＯＭ２１０には、読み出された白紙検知結果に応じて画像処理の動作を変える制御プログラムが格納されている。この制御プログラムに応じて、白紙検知結果や次の動作指示の画面を操作部１０６に表示して操作者に通知を行う。
【００３１】
次に画像蓄積部２０３に蓄積されている画像データが読み出され、画像処理部１０２に送られる。画像処理部１０２では、ＭＴＦフィルタ処理部２０４、γ変換処理部２０５、階調処理部２０６などの各種画像処理が行われた後、プリンタ部２０７へ送られる（図５参照）。ＭＴＦフィルタ処理部２０４、γ変換処理部２０５、階調処理部２０６は従来技術で実現可能な一般的な画像処理が行われる。画像蓄積部２０３から読み出される画像データは、白紙検知結果によって決定される。
【００３２】
次に、請求項２の発明に関する第２の実施形態を説明する。
第２の実施形態は、操作部１０６の図６に示す原稿読み取り設定画面において、図７のように「片面原稿」が指定された場合の動作に関するものである。
読み取り開始で原稿１枚目の表面を読み取り、読み取った画像データに対して白紙検知部２０２で白紙、非白紙の検知が行われた後、画像蓄積部２０３に蓄積される。複数枚原稿の１枚目の表面を読み取った白紙検知部２０２の判定結果が白紙であった場合は、操作部１０６に原稿の表面が白紙であるという原稿読み取り結果を、図８のように表示して操作者に通知する。
【００３３】
図８の原稿読み取り結果の表示画面において、読み取り動作の継続方法を選択することができる。「読み取り中止」が選択された場合は、その後の読み取り動作を中止する。「表面読み取りのまま継続」が選択された場合は、表面を読み取った画像データを有効画像データとして使用し、読み取り動作を継続する。「裏面読み取りに切り替えて継続」が選択された場合は、裏面を読み取った画像データを有効画像データとして使用し、読み取り動作を継続する。
【００３４】
本実施形態によれば、原稿の片面読み取り動作モードが指定されている読み取り動作時に、原稿の表面に有効な画像があるかどうかを調べて、有効な画像がなかった場合は読み取り動作を中断し、原稿の裏／表の設置面の間違いを防止することができる。
【００３５】
次に、請求項３の発明に関する第３の実施形態を説明する。
第２の実施形態は、図８の原稿読み取り結果表示画面で「裏面読み取りに切り替えて継続」が選択された場合の動作に関するものである。この場合は、原稿自動送り装置で原稿の裏表を反転させて、原稿の裏面の読み取り動作を行う。
【００３６】
本実施形態によれば、原稿の片面読み取り動作モードが指定されている読み取り動作時に、原稿の表面に有効な画像がなかった場合、原稿の裏面に有効な画像があるかどうかを調べて、原稿の裏／表の設置面が間違われて設置されていた場合でも読み取り動作を継続することができる。
【００３７】
次に、請求項４の発明に関する第４の実施形態を説明する。
第４の実施形態は、図８の原稿読み取り結果表示画面で「裏面読み取りに切り替えて継続」が選択された場合の裏面読み取りの動作に関するものである。複数枚原稿の１枚目の裏面を読み取った白紙検知部２０２の判定結果が白紙ではなかった場合は、複数枚原稿の設置面が裏表反対であったと判断して、裏面を読み取った画像データを有効画像データとして使用する。裏面を読み取った画像データとする読み取り動作では、複数枚原稿の２枚目以降の読み取り動作では原稿の表面は読み取らずに、原稿自動送り装置で原稿の裏表を反転させ、原稿の裏面のみ読み取り動作を行う。
【００３８】
本実施形態によれば、原稿の片面読み取り動作モードが指定されている読み取り動作時に、原稿の裏／表の設置面が間違われて設置されていた場合に、１枚目のみ原稿の両面を読み取り、２枚目以降の原稿に対しては有効面のみを読み取ることで高速な読み取りができる。
【００３９】
次に、請求項５の発明に関する第５の実施形態を説明する。
第４の実施形態は、図８の原稿読み取り結果表示画面で「裏面読み取りに切り替えて継続」が選択された場合の裏面読み取りの動作に関するものである。複数枚原稿の１枚目の裏面を読み取った白紙検知部２０２の判定結果が白紙であった場合に操作部１０６に原稿の裏面が白紙であるという図９に示す原稿読み取り結果を表示して操作者に通知する。
【００４０】
図９の表示画面において、読み取り動作の継続方法を選択することができる。「読み取り中止」が選択された場合は、その後の読み取り動作を中止する。「表面読み取りに切り替えて継続」が選択された場合は、表面を読み取った画像データを有効画像データとして使用し、読み取り動作を継続する。この場合は、２枚目以降の原稿に対しては表面のみ読み取り動作を行う。「裏面読み取りのまま継続」が選択された場合は、裏面を読み取った画像データを有効画像データとして使用し、読み取り動作を継続する。この場合は、２枚目以降の原稿に対しては裏面のみ読み取り動作を行う。
【００４１】
本実施形態によれば、原稿の片面読み取り動作モードが指定されている読み取り動作時に、原稿の表面・裏面ともに有効な画像がなかった場合は読み取り動作を中断し、原稿の裏／表の設置面の間違いを防止することができる。
【００４２】
尚、各実施形態で説明した処理を、制御部１０５のＣＰＵ２０９が実行するためのＲＯＭ２１０に格納される制御プログラムは本発明によるプログラムを構成する。また、このプログラムを記憶する記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施形態とは異なる構成の装置やシステム等で用い、そこのＣＰＵで上記プログラムを実行させることにより、本発明と実質的に同じ効果を得ることができる。
【図面の簡単な説明】
【００４３】
【図１】本発明の実施形態による画像処理装置の構成を示すブロック図である。
【図２】画像処理装置の詳細な構成を示すブロック図である。
【図３】原稿読み取りから画像蓄積までの画像データの流れを示すブロック図である。
【図４】制御部が白紙検知結果を読み出している状態を示すブロック図である。
【図５】蓄積画像の読み出しからプリンタ部までの画像データの流れを示すブロック図である。
【図６】原稿読み取り設定の操作部の表示例を示す構成図である。
【図７】原稿読み取り設定で「片面原稿」を選択した状態の操作部の表示例を示す構成図である。
【図８】原稿の表面が白紙であった場合の原稿読み取り結果を表示する操作部の表示例を示す構成図である。
【図９】原稿の裏面が白紙であった場合の原稿読み取り結果を表示する操作部の表示例を示す構成図である。
【符号の説明】
【００４４】
１０１    画像入力部
１０２    画像処理部
１０５    制御部
１０６    操作部
２０１    スキャナ部
２０２    白紙検知部
２０７    プリンタ部
２０９    ＣＰＵ
２１０    ＲＯＭ
【図１】
2007251431.tif 000003
【図２】
2007251431.tif 000004
【図３】
2007251431.tif 000005
【図４】
2007251431.tif 000006
【図５】
2007251431.tif 000007
【図６】
2007251431.tif 000008
【図７】
2007251431.tif 000009
【図８】
2007251431.tif 000010
【図９】
2007251431.tif 000011